(57)【要約】【課題】蓋体の開放操作が簡単でありながらも、熱い湯を入れて内圧が上昇したような場合の安全性を確保する。【解決手段】容器本体３１の上端部に開閉可能な蓋体５１が枢着され、該蓋体５１が開放方向に付勢された蓋体開放構造であって、前記容器本体３１に、前記蓋体５１の開放に際し付勢力に抗して押圧される開放操作部７１ｂを有する開放操作部材７１が枢着され、この開閉操作部材７１には前記開放操作部７１ｂに従動する係止部７１ａが形成され、前記蓋体５１には、前記係止部７１ａとの係止で蓋体５１の開放を防ぐ被係止部７３が形成される。そして、前記係止部７１ａにおける該係止部７１ａの移動方向の両側に対応する部位に、前記蓋体５１を閉鎖した状態で前記係止をする閉鎖係止部７６と、蓋体５１を半開きにした状態で前記係止をする半開き係止部７７を備える。【選択図】図３
2011131926.tif 000002
【特許請求の範囲】
【請求項１】
容器本体の上端部に開閉可能な蓋体が枢着され、該蓋体が開放方向に付勢された蓋体開放構造であって、
前記容器本体に、前記蓋体の開放に際し付勢力に抗して押圧される開放操作部と、該開放操作部に従動する係止部が形成され、
前記蓋体には、前記係止部との係止で蓋体の開放を防ぐ被係止部が形成されるとともに、
前記係止部又は被係止部における前記係止部の移動方向の両側に対応する部位に、前記蓋体を閉鎖した状態で前記係止をする閉鎖係止部と、蓋体を半開きにした状態で前記係止をする半開き係止部を備えた
蓋体開放構造。
【請求項２】
前記閉鎖係止部と半開き係止部の間における上下両端に、これらと係止する前記係止部又は被係止部の進入を許容する隙間が形成されるとともに、
これら上下の隙間の間に、前記係止部又は被係止部の軌道方向での通過を許容しない一方で、軌道方向に対して斜め方向には通過を許容する通路が形成された
請求項１に記載の蓋体開放構造。
【請求項３】
前記開放操作部が枢着されるとともに、
該開放操作部が前記付勢力に抗して移動するのを阻止するロック操作部を、開放操作部の枢着軸と直交する方向に摺動可能に備えた
請求項１または請求項２に記載の蓋体開放構造。
【発明の詳細な説明】
【技術分野】
【０００１】
この発明は、たとえば各種容器や機器、特に携帯魔法瓶などのような液体容器に備えるのに好適な蓋体開放構造に関し、より詳しくは、操作が簡単でありながらも安全性が高い蓋体開放構造に関する。
【背景技術】
【０００２】
容器の蓋体には、使用上の利便性のため、片手でワンタッチ開放でるように構成されたものが知られている。すなわち、たとえば下記特許文献１に開示されたように、開放方向に付勢された状態で枢着されている蓋体の開放端側に被係止部が形成され、この被係止部と係止して蓋体が開放するのを防ぐ係止部材を容器に有する構造である。係止部材は枢着されるとともに被係止部に係止する方向に付勢されており、この付勢力に逆らって係止部材の一部を押圧して回転させると、蓋体は係止が外れてサッと開く。このように、係止部材を押圧すると蓋体が全開する構造であるので、操作が簡単で便利である。
【先行技術文献】
【特許文献】
【０００３】
【特許文献１】特開２００７−１６１２８８号公報
【発明の概要】
【発明が解決しようとする課題】
【０００４】
しかしながら、容器内の圧力が高くなっているときには、破裂音がし、内容液が不測に飛び散るおそれがある。内圧が上昇する例としては、炭酸飲料などを入れた場合のほか、たとえば熱い湯を入れたときに湯の温度により空気が膨張する場合がある。このような不都合の発生を防ぐため、内容液の種類を制限したり、内容液を減らすように注意を喚起したりすることが行われているが、それを実行するか否かは容器使用者の意思によるため、確実な防止効果は望めない。
【０００５】
また、係止部材の一部を押すと開く構造であるが、僅かな接触で簡単に開いてしまっては内容液が不測にこぼれたりすることになるので、蓋体の開放のためには開放する意思に基づく押圧であるときに開くようにするため、ある程度の押圧量（ストローク）が設定されている。しかし、どの程度押したときに蓋体が開くか明らかではなく、指先に力を掛けて付勢力に抗して押圧する構造と相俟って、所望のタイミングで開かずに使いにくさを感じることがあった。
【０００６】
そして、このように操作と開放のタイミングの関係が明確に分からないので、前記の内圧の上昇があったときには、破裂音や内容液の飛び散りは、まったく思いがけないものとなる。
【０００７】
そこで、この発明は、操作が簡単でありながらも、安全性を確保するとともに、使い勝手も向上できるようにすることを主たる目的とする。
【課題を解決するための手段】
【０００８】
そのための手段は、容器本体の上端部に開閉可能な蓋体が枢着され、該蓋体が開放方向に付勢された蓋体開放構造であって、前記容器本体に、前記蓋体の開放に際し付勢力に抗して押圧される開放操作部と、該開放操作部に従動する係止部が形成され、前記蓋体には、前記係止部との係止で蓋体の開放を防ぐ被係止部が形成されるとともに、前記係止部又は被係止部における前記係止部の移動方向の両側に対応する部位に、前記蓋体を閉鎖した状態で前記係止をする閉鎖係止部と、蓋体を半開きにした状態で前記係止をする半開き係止部を備えた蓋体開放構造である。前記半開きとは、蓋体が中途半端に開いた状態、または不完全な閉鎖状態をいい、密閉状態が解かれた状態をいう。
【０００９】
前記開放操作部を付勢力に抗して押圧することと解放することによって、係止部が従動し、蓋体の被係止部との係止状態が変化する。すなわち、閉鎖係止部で係止された状態の開放操作部を付勢力に抗して押圧すると、閉鎖係止部での係止から、半開き係止部での係止に移行する。このとき、蓋体は開放方向に付勢されているので、開放方向に動いて半開き状態になる。そして、密閉状態が解かれるので、上昇していた内圧が下がり、このときに蓋体がほとんど閉じた状態であるため、内容液が飛び散るおそれがない。この後、開放操作部を解放して付勢力に任せると、開放操作部は付勢力によってすぐさま移動し、蓋体の係止が外れて全開する。
【発明の効果】
【００１０】
この発明によれば、開放操作部を押せば蓋体が開く構造であるので操作が簡単であるとともに、開放操作部の押圧操作によって蓋体を半開きにした後に全開するという二段階で開放する構造であるので、内容液の飛び散りに対する安全性を確保して、使い勝手の向上も図れる。
【図面の簡単な説明】
【００１１】
【図１】液体保温容器の上部の正面図。
【図２】図１のＡ−Ａ断面図。
【図３】図１のＢ−Ｂ断面図の要部。
【図４】被係止部の正面図と係止部の斜視図。
【図５】ロック状態を示す断面図。
【図６】開放動作初期の状態を示す断面図。
【図７】半開き状態を示す断面図。
【図８】半開き状態が解除され全開する過程を示す断面図。
【発明を実施するための形態】
【００１２】
この発明を実施するための一形態を、以下図面を用いて説明する。  
この一形態では、液体保温容器の例を示す。
【００１３】
図１は、液体保温容器１１の上部の正面図、図２はその中央の縦断面図、図３は中央から一方に偏った位置での要部の縦断面図である。
【００１４】
これらの図に示すように、液体保温容器１１は、容器本体３１の上部に枢着された蓋体５１がワンタッチで開くように構成されている。
【００１５】
まず、液体保温容器１１の概略構造について説明する。  
前記容器本体３１は、上端が開口した金属製真空二重瓶３２と、これの上端部に螺合される口金部材３３を有する。そして、前記蓋体５１は、前記口金部材３３の上端の背面側の枢着部３４に枢着される。この枢着部３４には付勢手段としてのばね（図示せず）が備えられ、蓋体５１が開放方向に付勢されている。
【００１６】
また、口金部材３３の上端部には、円筒を斜めに切断したような形態の飲み口３５が形成されている。飲み口３５の下には、金属製真空二重瓶の内部と仕切る、略すり鉢状に凹む底面部３６が形成され、この底面部３６に、金属製真空二重瓶３２内の内容液が主に流出する流出口３６ａと、主として空気が流通する通気口３６ｂが形成されている。
【００１７】
前記蓋体５１は、閉じたときに前記流出口３６ａと通気口３６ｂを直接閉鎖するものである。すなわち、蓋体５１は、その内面に、下方に突出する有底円筒状の膨出部５２を有し、この膨出部５２における前記流出口３６ａと通気口３６ｂに対応する部位に突起５２ａ，５２ｂが形成されている。そして、前記膨出部５２を突起５２ａ，５２ｂごと覆うパッキン５３が被着される。パッキン５３は、前記流出口３６ａと通気口３６ｂを塞ぐ流出口シール部５３ａ、通気口シール部５３ｂと、前記飲み口３５の上端部を塞ぐ飲み口シール部５３ｃを備える。
【００１８】
つぎに、前記蓋体５１を開放するための構成について説明する。  
前記容器本体３１の口金部材３３における前記蓋体５１の枢着部３４と反対側の正面側部分に凹所３７が形成され、この凹所３７に、開放操作部材７１とロック操作部材７２を備える。一方、蓋体５１における開放操作部材７１の先端部（上端部）に対応する部位には凹陥部５４が形成され、この凹陥部５４に、前記開放操作部材７１の係止部７１ａとの係止で蓋体５１の開放を防ぐ被係止部７３が形成される。
【００１９】
開放操作部材７１は、蓋体５１の開放に際し付勢力に抗して押圧される開放操作部７１ｂと、これに従動する前記係止部７１ａを一体に有する。開放操作部７１ｂは短冊状に形成され、長手方向の中間部が前記凹所３７内に枢着軸７４で枢着されている。そして、開放操作部７１ｂの長手方向の一端部（上端部）に前記係止部７１ａが形成され、他端部（下端部）の内側面に、ばね受け７１ｃが形成される。ばね受け７１ｃには、前記凹所３７の底の凹陥部３７ａとの間で突っ張る圧縮コイルばね７５が保持され、開放操作部材７１の係止部７１ａが前記被係止部７３に係止する方向に回動するように、開放操作部材７１が付勢される。
【００２０】
前記係止部７１ａは、図４（ｂ）にも示したように、２種類の係止部を備える。２種類の係止部は、蓋体５１を閉鎖した状態で係止をする閉鎖係止部７６と、蓋体５１を半開きにした状態で係止をする半開き係止部７７である。これら閉鎖係止部７６と半開き係止部７７は、係止部７１ａにおける、開放操作部材７１が回動したときにその一端の係止部７１ａが移動する移動方向の両側に対応する部位に形成される。開閉操作部材７１は容器本体３１に対して接離する方向に回動するので、容器本体３１に近い側に半開き係止部７７が形成され、遠い側に閉鎖係止部７６が形成される。
【００２１】
また、これら２種類の係止部は、左右方向中間の仕切り部７８を境にして左右対称に形成されている。左右対称であるので、バランスのよい開閉状態が得られる。
【００２２】
一方、このような係止部７１ａと係止する前記被係止部７３は、図４（ａ）にも示したように、左右両側から内側に向けて突出する２本の棒状体７３ａで構成される。棒状体７３ａの間の隙間は、前記係止部７１ａの仕切り部７８が入る幅である。図中、７３ｂは、被係止部７３の補強と内部の隠蔽のための板状部である。また、被係止部７３の断面形状は、図３に示したように、上端は略平坦であるが、下端の外側の角には角アール部７３ｃが形成されている。これは、蓋体５１を閉じるときの負荷を軽減するためである。
【００２３】
このような被係止部７３を有するので、前記係止部７１ａの閉鎖係止部７６と半開き係止部７７の間における上下両端には、被係止部７３の進入を許容する隙間７９ａ，７９ｂが形成され、これら上下の隙間７９ａ，７９ｂの間には、被係止部７３の軌道方向での通過を許容しない一方で、軌道方向に対して斜め方向には通過を許容する通路７９ｃが形成されている。被係止部７３の軌道方向とは、枢着部３４を中心に蓋体５１が開閉するときに被係止部７３が移動する軌道のことである。
【００２４】
そして、開放操作部材７１を圧縮コイルばね７５の付勢力に任せた状態で蓋体５１を閉じる方向に回転したときに、開放操作部材７１が圧縮コイルばね７５の付勢力に抗して回転するようにすべく、前記上端の隙間７９ａは、開放操作部材７１を圧縮コイルばね７５の付勢力に任せた状態にしたときに、被係止部７３を受け入れ可能な位置に形成される。また、閉鎖係止部７６の上面には、蓋体５１を閉じる方向に回動したときに前記被係止部７３の角アール部７３ｃが当たる傾斜面７６ａを有し、蓋体５１を下げ切った時に、この傾斜面７６ａの下方で被係止部７３と係止するように構成されている。
【００２５】
一方、半開き係止部７７は、前記通路７９ｃ側に内側を向ける縦断面横Ｌ字状に形成され、閉鎖係止部７６が被係止部７３と係止する位置よりも高い位置で、被係止部７３と係止するように構成される。
【００２６】
この半開き係止部７７の被係止部７３と係止する部位の高さは、蓋体５１が中途半端に開いた状態、または不完全な閉鎖状態となり、前記パッキン５３による流出口３６ａまたは通気口３６ｂの密閉状態を解く状態になるように、その他の各部の寸法とともに設定される。密閉状態とは、隙間なく密着している状態であって、内部の圧力が高くてもその圧力による通気を防げる程に密着している状態である。
【００２７】
前記ロック操作部材７２は、開放操作部材７１が圧縮コイルばね７５の付勢力に抗して移動するのを阻止するもので、開放操作部材７１の開放操作部７１ｂの外側面を、開放操作部材７２の枢着軸７４と直交する方向に摺動するように備えられる。このためロック操作部材７２は、開放操作部７１ｂの外側面に重ねられ、指先で押すのに適した形態の略板状をなす入力部７２ａを有し、この入力部７２ａの左右両側に、前記枢着軸７４にかかる位置まで延びる取り付け片７２ｂが備えられ、この取り付け片７２ｂには、枢着軸７４の進入を許容する長孔７２ｃが形成されている。長孔７２ｃには、図５に示したように、枢着軸７４が位置決めされる節度となる大径部７２ｄ，７２ｅが２箇所形成される。一方（上端）の大径部７２ｄはロック解除位置に形成され、他方（下端）の大径部７２ｅはロック位置に形成される。そしてロック操作部材７２の下端部における左右両側の内側面には、ロック操作部材７２を上にずらして下端の大径部７２ｅと枢着軸７４をあわせたときに、前記凹所３７の底から起立させた段部３７ｂに当たり、圧縮コイルばね７５の付勢力に抗しての押圧を不可能にする規制脚７２ｆが形成されている。規制脚７２ｆは、ロック操作部材７２を下にずらしたときには、前記段部３７から外れる。
【００２８】
このように構成された液体保温容器１１では、蓋体５１を枢着部３４の付勢力に抗して押し下げると、蓋体５１の被係止部７３が容器本体３１の開放操作部材７１を圧縮コイルばね７５による付勢力に逆らって回転させて、閉鎖係止部７６に係止し、蓋体５１の閉鎖状態が得られる。このとき、容器本体３１の流出口３６ａと通気口３６ｂと飲み口３５は、パッキン５３によってそれぞれシールされる。
【００２９】
そして、ロック操作部材７１を下げると、ロック操作部材７１の規制脚７２ｆと口金部材３３の段部３７ｂとの協働で蓋体５１の閉鎖状態が保持される（図５参照）。
【００３０】
この閉鎖状態にある蓋体５１を開放するときには、まず、ロック操作部材７２を上に摺動してロック状態を解除し、続いて、ロック操作部材７２の入力部７２ａの下端側部位を内側に押圧して、間接的に開放操作部材７１の開放操作部７１ｂの下端側部位を押圧する。この押圧により、図６に示したように開放操作部材７１は、圧縮コイルばね７５の付勢力に逆らって回動し、係止部７１ａを外側に移動させる。
【００３１】
すると、係止部７１ａの閉鎖係止部７６が外側に移動することになり、被係止部７３との係止が解除される。図６は、閉鎖係止部７６と被係止部７３との係止が外れる直前の状態を示している。
【００３２】
閉鎖係止部７６と被係止部７３の係止が解除される結果、蓋体５１は、枢着部３４の付勢力により開放方向に回動し、被係止部７３は、図７に示したように、閉鎖係止部７６よりも上に位置する半開き係止部７７と係止し、少なくとも流出口３６ａの密閉状態を解く。
【００３３】
このとき、蓋体５１は半開き状態となって流出口３６ａ等を覆った状態であるので、万が一容器本体３１内の圧力が高い場合であって内容液が噴き出そうとしても、蓋体５１が内容液の飛び散りを防止する。
【００３４】
この後、押圧していた開放操作部材７１を離すと、開放操作部材７１は圧縮コイルばね７５の付勢力によってすぐさま、係止部７１ａを容器本体３１に近づける方向（内側）に回動する。この回動により、被係止部７３は、閉鎖係止部７６の上面の傾斜面７６ａよりも下に入ることはなく、図８に示したように開放操作部材７１の回動動作に伴って、通路７９ｃから、閉鎖係止部７６と半開き係止部７７との間の上端の隙間７９ａを経て解放され、蓋体５１は全開する。
【００３５】
前記通路７９ｃは、被係止部７３の軌道方向での通過を許容しない一方で、軌道方向に対して斜め方向には通過を許容する形状であるため、開放操作部材７１を押圧したときには、必ず半開き係止部７７による係止がなされることになり、半開きにならないまま蓋体５１が開くことはない。
【００３６】
蓋体５１は前記のような動作で開放されるので、内圧が高まっていた場合であっても、内容液が飛び散って熱い思いをするような不都合の発生を確実に防止できる。
【００３７】
また、開放のための操作はワンタッチでありながらも、押圧を解除したときに蓋体５１が全開する構造であるので、内容液が万が一飛び散りそうなときには、押圧を解除しなければよく、安全性を確保できる。
【００３８】
しかも、開放するタイミングは押圧を解除したときであるので、分かり易く、使い勝手がよい。
【００３９】
さらに、ワンタッチでありながらも一呼吸おいてから全開する構造であるので、半開き状態にしたものの、開放をやめる場合には、蓋体５１を全開にした後に閉じる場合に比して蓋体５１を閉方向に回転する距離が小さく、操作が片手でも容易に行える。
【００４０】
加えて、開放操作部材７１を枢着するとともに、この開放操作部材７１の上にロック操作部材７２がスライド可能に設けられた構造であるので、ロックやロック解除の操作も、蓋体５１の開放操作と一連の動作でできる。このため、操作性は極めてよい。
【００４１】
この発明の構成と、前記一形態の構成との対応において、  
この発明のロック操作部は、前記ロック操作部材７２に対応するも、  
この発明は、前記の構成のみに限定されるものではなく、その他の構成を採用することもできる。  
たとえば、閉鎖係止部７６と半開き係止部７７を、被係止部７３側に設けるもよく、また、開放操作部７１ｂと係止部７１ａをそれぞれ別部材で構成することもできる。さらに、開放操作部７１ｂは枢着による回動のほか、往復動するものであってもよい。
【符号の説明】
【００４２】
３１…容器本体
５１…蓋体
７１ａ…係止部
７１ｂ…開放操作部
７２…ロック操作部材
７３…被係止部
７４…枢着軸
７６…閉鎖係止部
７７…半開き係止部
７９ａ，７９ｂ…隙間
７９ｃ…通路
【図１】
2011131926.tif 000003
【図２】
2011131926.tif 000004
【図３】
2011131926.tif 000005
【図４】
2011131926.tif 000006
【図５】
2011131926.tif 000007
【図６】
2011131926.tif 000008
【図７】
2011131926.tif 000009
【図８】
2011131926.tif 000010